(57)【要約】      （修正有）【課題】アルバムの露出機会を増加させて、アルバム情報を連続的に提供してサイト訪問者の音盤購買欲求を増加させ得る、オンライン音盤ショップの運営システム及び方法を提供する。【解決手段】ユーザから入力されるディスプレイ要請に応答して、多数のアルバムのアルバム情報を一連番号に対応して格納するアルバム情報格納部から少なくとも一つの一連番号を選択して主範囲を設定し、ユーザから入力される更新要請に応答してアルバム情報格納部から前記主範囲の一連番号と隣接する少なくとも一つの一連番号を選択して主範囲を更新するディスプレイ対象選択部及びアルバム情報格納部から主範囲内の一連番号に対応するアルバム情報を抽出し、抽出されたアルバム情報に基づいて、画面ディスプレイ情報を生成するディスプレイ部を備えるオンライン音盤ショップの運営システム及びこれを用いたオンライン音盤ショップの運営方法を提供する。【選択図】図１
2007004805.tif 000002
【特許請求の範囲】
【請求項１】
オンライン音盤ショップの運営システムにおいて、
多数のアルバムのアルバム情報を一連番号に対応して格納するためのアルバム情報格納部と、
多数のプロモーションのプロモーション情報を識別子に対応して格納するためのプロモーション情報格納部と、
画面管理情報を格納するための管理情報格納部と、
ユーザから入力されるディスプレイ要請に応答して前記アルバム情報格納部から少なくとも一つの一連番号を選択して主範囲を設定し、前記プロモーション情報格納部から少なくとも一つの前記識別子を選択し、ユーザから入力される更新要請に応答して前記アルバム情報格納部から前記主範囲の一連番号と隣接する少なくとも一つの一連番号を選択して前記主範囲を更新し、前記プロモーション情報格納部から少なくとも一つの前記識別子を選択するディスプレイ対象選択部と、
前記アルバム情報格納部及び前記プロモーション情報格納部から、前記主範囲内の一連番号に対応するアルバム情報及び前記選択された識別子に対応するプロモーション情報を抽出し、前記抽出されたアルバム情報及びプロモーション情報と前記管理情報格納部に格納された画面管理情報に基づいて、画面ディスプレイ情報を生成するディスプレイ部と、
ユーザから入力される購買要請を処理する購買要請処理部と
を備えるオンライン音盤ショップの運営システム。
【請求項２】
オンライン音盤ショップの運営システムにおいて、
多数のアルバムの一般アルバム情報及び詳細アルバム情報を一連番号に対応して格納するためのアルバム情報格納部と、
多数のプロモーションのプロモーション情報を識別子に対応して格納するためのプロモーション情報格納部と、
一般画面管理情報及び詳細画面管理情報を格納するための管理情報格納部と、
ユーザから入力されるディスプレイ要請に応答して前記アルバム情報格納部から少なくとも一つの前記一連番号を選択して主範囲を設定し、前記プロモーション情報格納部から少なくとも一つの前記識別子を選択し、ユーザから入力される更新要請に応答して前記アルバム情報格納部から前記主範囲の一連番号と隣接する少なくとも一つの一連番号を選択して前記主範囲を更新し、前記プロモーション情報格納部から少なくとも一つの前記識別子を選択するディスプレイ対象選択部と、
前記アルバム情報格納部及び前記プロモーション情報格納部から、前記主範囲内の一連番号に対応する一般アルバム情報及び前記選択された識別子に対応するプロモーション情報を抽出し、前記抽出された一般アルバム情報及びプロモーション情報と前記管理情報格納部に格納された一般画面管理情報に基づいて、一般画面ディスプレイ情報を生成するディスプレイ部と、
ユーザから入力される選択アルバムの詳細ディスプレイ要請に応答し、前記アルバム情報格納部から前記選択アルバムの詳細アルバム情報を抽出し、抽出された詳細アルバム情報と前記管理情報格納部に格納された詳細画面管理情報に基づいて、詳細画面ディスプレイ情報を生成する選択アルバムのディスプレイ部と、
ユーザから入力される購買要請を処理する購買要請処理部と
を備えるオンライン音盤ショップの運営システム。
【請求項３】
前記ディスプレイ対象選択部は、
少なくとも二つの前記一連番号を選択して主範囲を設定し、
前記主範囲内の最先の一連番号に先行する少なくとも一つの一連番号を選択して上方範囲を設定し、
前記主範囲内の最後の一連番号に後行する少なくとも一つの一連番号を選択して下方範囲を設定する請求項１または２に記載のオンライン音盤ショップの運営システム。
【請求項４】
前記ディスプレイ対象選択部は、前記上方範囲及び前記下方範囲を格納するためのプリ−ローディング（ｐｒｅｌｏａｄｉｎｇ）部を備える請求項３に記載のオンライン音盤ショップの運営システム。
【請求項５】
前記管理情報格納部は、ピクセル単位で連続ディスプレイを具現するための連続画面管理情報をさらに格納し、
前記ディスプレイ対象選択部は、前記更新要請の発生事実を前記ディスプレイ部に伝達し、
前記ディスプレイ部は前記更新要請に応答し、前記アルバム情報格納部及び前記プロモーション情報格納部からアルバム情報(または一般アルバム情報)及びプロモーション情報を抽出し、抽出されたアルバム情報(または一般アルバム情報)、プロモーション情報と前記管理情報格納部に格納された画面管理情報(または一般画面管理情報)及び連続管理情報に基づいて少なくとも更新された主範囲に属する一連番号のアルバム情報(または一般アルバム情報)をピクセル単位で連続的に具現する画面ディスプレイ情報を生成する請求項１または２に記載のオンライン音盤ショップの運営システム。
【請求項６】
前記ディスプレイ要請は、前記ユーザのオンライン音盤ショップの接続開始、会員ログイン及び検索単語の入力を含み、
前記更新要請は、前記ユーザから方向情報の入力及び所定時間の経過を含む請求項１または２に記載のオンライン音盤ショップの運営システム。
【請求項７】
前記方向情報は、カーソルの移動及び速度の変化を含む請求項６に記載のオンライン音盤ショップの運営システム。
【請求項８】
前記プロモーション情報格納部は、前記識別子に対応して一般プロモーション情報及び詳細プロモーション情報を格納し、
前記オンライン音盤ショップの運営システムは、ユーザから入力される選択プロモーションの詳細ディスプレイ要請に応答して前記プロモーション情報格納部で前記選択されたプロモーションの詳細プロモーション情報を抽出し、抽出された詳細プロモーション情報と管理情報格納部に格納された詳細画面管理情報に基づいて、選択プロモーションディスプレイ情報を生成する選択プロモーションのディスプレイ部をさらに備える請求項２に記載のオンライン音盤ショップの運営システム。
【請求項９】
前記一般アルバム情報は、アーティスト名及びアルバムの正面イメージを含む請求項１または２に記載のオンライン音盤ショップの運営システム。
【請求項１０】
前記ディスプレイ対象選択部は、
ユーザシステムから検索単語が入力され、
前記検索単語を基準にディスプレイされるアルバムを更新する請求項６に記載のオンライン音盤ショップの運営システム。
【請求項１１】
前記ディスプレイ対象選択部は、
定められた基準時点から所定時間の経過如何を判断し、
所定時間が経過した場合、ユーザの接続維持如何を判断し、
ユーザが接続を維持している状態と判断されれば、ランダムにディスプレイされるアルバム及びプロモーションを更新する請求項６に記載のオンライン音盤ショップの運営システム。
【請求項１２】
前記オンライン音盤ショップの運営システムは、
会員情報を提供する会員情報格納部をさらに備える請求項６に記載のオンライン音盤ショップの運営システム。
【請求項１３】
前記ディスプレイ対象選択部は、
会員のログイン如何を判断し、
前記会員情報格納部から会員情報を抽出し、
抽出された会員情報に基づいて、ディスプレイされる少なくとも一つのアルバム及び少なくとも一つのプロモーションを選択する請求項１２に記載のオンライン音盤ショップの運営システム。
【請求項１４】
多数のアルバムのアルバム情報を一連番号に対応して格納するためのアルバム情報格納部、多数のプロモーションのプロモーション情報を識別子に対応して格納するためのプロモーション情報格納部及び画面管理情報を格納するための管理情報格納部を備えるオンライン音盤ショップの運営システムを用いた、オンライン音盤ショップの運営方法において、
ユーザから入力されるディスプレイ要請に応答して前記アルバム情報格納部から少なくとも一つの一連番号を選択して主範囲を設定する段階と、
ユーザから入力される更新要請に応答して前記アルバム情報格納部から前記主範囲の一連番号と隣接する少なくとも一つの一連番号を選択して前記主範囲を更新する段階と、
前記プロモーション情報格納部から少なくとも一つの前記識別子を選択する段階と、
前記アルバム情報格納部及び前記プロモーション情報格納部から、前記主範囲内の一連番号に対応するアルバム情報及び前記選択された識別子に対応するプロモーション情報を抽出する段階と、
前記抽出されたアルバム情報及びプロモーション情報と前記画面管理情報に基づいて、画面ディスプレイ情報を生成する段階と、
ユーザから入力される購買要請を処理する段階と
を備えるオンライン音盤ショップの運営方法。
【請求項１５】
多数のアルバムの一般アルバム情報及び詳細アルバム情報を一連番号に対応して格納するためのアルバム情報格納部、多数のプロモーションのプロモーション情報を識別子に対応して格納するためのプロモーション情報格納部及び一般画面管理情報及び詳細画面管理情報を格納するための管理情報格納部を用いたオンライン音盤ショップの運営方法において、
ユーザから入力されるディスプレイ要請に応答して前記アルバム情報格納部から少なくとも一つの前記一連番号を選択して主範囲を設定する段階と、
ユーザから入力される更新要請に応答して前記アルバム情報格納部から前記主範囲の一連番号と隣接する少なくとも一つの一連番号を選択して前記主範囲を更新する段階と、
前記プロモーション情報格納部から少なくとも一つの前記識別子を選択する段階と、
前記アルバム情報格納部及び前記プロモーション情報格納部から、前記主範囲内の一連番号に対応する一般アルバム情報及び前記選択された識別子に対応するプロモーション情報を抽出する段階と、
前記抽出された一般アルバム情報及びプロモーション情報と前記一般画面管理情報に基づいて、一般画面ディスプレイ情報を生成する段階と、
ユーザから入力される選択アルバムの詳細ディスプレイ要請に応答し、前記アルバム情報格納部から前記選択アルバムの詳細アルバム情報を抽出する段階と、
抽出された詳細アルバム情報及び前記詳細画面管理情報に基づいて、詳細画面ディスプレイ情報を生成する段階と、
ユーザから入力される購買要請を処理する段階と
を備えるオンライン音盤ショップの運営方法。
【請求項１６】
前記ディスプレイ要請は、前記ユーザのオンライン音盤ショップの接続開始、会員ログイン及び検索単語の入力を含み、
前記更新要請は、前記ユーザから方向情報入力及び所定時間の経過を含む請求項１４または１５に記載のオンライン音盤ショップの運営方法。
【発明の詳細な説明】
【技術分野】
【０００１】
本発明は電子商取引システム及び方法に関し、特にオンライン音盤ショップの運営システム及び方法に関する。
【背景技術】
【０００２】
インターネットのユーザ数が増加するにつれ、インターネットとワールドワイドウェブ（Ｗｏｒｌｄ  Ｗｉｄｅ  Ｗｅｂ）による電子商取引が急増している。オンラインショップ（インターネットショップ）は、顧客がインターネットを通じて物品やサービスを購買するようにする。ユーザは主に使用の便利性とその速度によりオンラインショッピングを好んでいる。
【０００３】
オンライン音盤ショップは、インターネットユーザにアルバム情報、ミュージックニュース及び試聴のような多様なサービスを提供している。
【０００４】
従来的に、オンライン音盤ショップでは、アルバムが、例えば‘最新アルバム’、‘ポップ’、‘クラシック’、‘ジャズ’のような多様な分野に分類され、各分野において１ページ当り単に所定個数のアルバムがディスプレイされるように設定される。各ページにはアルバムに関する簡略な情報、例えば、アルバム名及び歌手名などがボタンの形態で配置される。アルバム目録だけでなく、各ページはアルバムに対応するショッピングメニュー及び所望のアルバムを探すための検索窓を提供する。それによって、特定のアルバムを購入しようとする顧客は迅速かつ便利にアルバムを購入することができる。
【０００５】
一方、アルバムの購入に対する計画なしにオンライン音盤ショップを訪問する顧客もいる。従来のオンライン音盤ショップのディスプレイ方法は、サイトを見ようと訪問した暫定顧客に提供されるアルバムの数が制約的であるという問題がある。これにより、暫定顧客が音盤を購買するように誘導することができる可能性が少なく、顧客に対する音盤マーケティングが活性化されていなかった。
【発明の開示】
【発明が解決しようとする課題】
【０００６】
本発明は、アルバムの露出機会を増加させて、アルバム情報を連続的に提供してサイト訪問者の音盤の購買欲求を増加させることができる、オンライン音盤ショップの運営システム及び方法を提供することにその目的がある。
【課題を解決するための手段】
【０００７】
本発明は、多数のアルバムのアルバム情報を一連番号に対応して格納するためのアルバム情報格納部と、多数のプロモーションのプロモーション情報を識別子に対応して格納するためのプロモーション情報格納部と、画面管理情報を格納するための管理情報格納部と、ユーザから入力されるディスプレイ要請に応答して前記アルバム情報格納部から少なくとも一つの一連番号を選択して主範囲を設定し、前記プロモーション情報格納部から少なくとも一つの前記識別子を選択し、ユーザから入力される更新要請に応答して前記アルバム情報格納部から前記主範囲の一連番号と隣接する少なくとも一つの一連番号を選択して前記主範囲を更新し、前記プロモーション情報格納部から少なくとも一つの前記識別子を選択するディスプレイ対象選択部と、前記アルバム情報格納部及び前記プロモーション情報格納部から、前記主範囲内の一連番号に対応するアルバム情報及び前記選択された識別子に対応するプロモーション情報を抽出し、前記抽出されたアルバム情報及びプロモーション情報と前記管理情報格納部に格納された画面管理情報に基づいて、画面ディスプレイ情報を生成するディスプレイ部と、ユーザから入力される購買要請を処理する購買要請処理部とを備えるオンライン音盤ショップの運営システムを提供する。
【０００８】
また、本発明は、多数のアルバムの一般アルバム情報詳細アルバム情報を一連番号に対応して格納するためのアルバム情報格納部と、多数のプロモーションのプロモーション情報を識別子に対応して格納するためのプロモーション情報格納部と、一般画面管理情報及び詳細画面管理情報を格納するための管理情報格納部と、ユーザから入力されるディスプレイ要請に応答して前記アルバム情報格納部から少なくとも一つの前記一連番号を選択して主範囲を設定し、前記プロモーション情報格納部から少なくとも一つの前記識別子を選択し、ユーザから入力される更新要請に応答して前記アルバム情報格納部から前記主範囲の一連番号と隣接する少なくとも一つの一連番号を選択して前記主範囲を更新し、前記プロモーション情報格納部から少なくとも一つの前記識別子を選択するディスプレイ対象選択部と、前記アルバム情報格納部及び前記プロモーション情報格納部から、前記主範囲内の一連番号に対応する一般アルバム情報及び前記選択された識別子に対応するプロモーション情報を抽出し、前記抽出された一般アルバム情報及びプロモーション情報と前記管理情報格納部に格納された一般画面管理情報に基づいて、一般画面ディスプレイ情報を生成するディスプレイ部と、ユーザから入力される選択アルバムの詳細ディスプレイ要請に応答し、前記アルバム情報格納部から前記選択アルバムの詳細アルバム情報を抽出し、抽出された詳細アルバム情報と前記管理情報格納部に格納された詳細画面管理情報に基づいて、詳細画面ディスプレイ情報を生成する選択アルバムのディスプレイ部と、ユーザから入力される購買要請を処理する購買要請処理部とを備えるオンライン音盤ショップの運営システムを提供する。
【０００９】
また、本発明は、多数のアルバムのアルバム情報を一連番号に対応して格納するためのアルバム情報格納部、多数のプロモーションのプロモーション情報を識別子に対応して格納するためのプロモーション情報格納部及び画面管理情報を格納するための管理情報格納部を備えるオンライン音盤ショップの運営システムを用いた、オンライン音盤ショップの運営方法において、ユーザから入力されるディスプレイ要請に応答して前記アルバム情報格納部から少なくとも一つの一連番号を選択して主範囲を設定する段階と、ユーザから入力される更新要請に応答して前記アルバム情報格納部から前記主範囲の一連番号と隣接する少なくとも一つの一連番号を選択して前記主範囲を更新する段階と、前記プロモーション情報格納部から少なくとも一つの前記識別子を選択する段階と、前記アルバム情報格納部及び前記プロモーション情報格納部から、前記主範囲内の一連番号に対応するアルバム情報及び前記選択された識別子に対応するプロモーション情報を抽出する段階と、前記抽出されたアルバム情報及びプロモーション情報と前記画面管理情報に基づいて、画面ディスプレイ情報を生成する段階と、ユーザから入力される購買要請を処理する段階とを備えるオンライン音盤ショップの運営方法を提供する。
【００１０】
また、本発明は、多数のアルバムの一般アルバム情報及び詳細アルバム情報を一連番号に対応して格納するためのアルバム情報格納部と、多数のプロモーションのプロモーション情報を識別子に対応して格納するためのプロモーション情報格納部と、一般画面管理情報及び詳細画面管理情報を格納するための管理情報格納部とを用いたオンライン音盤ショップの運営方法において、ユーザから入力されるディスプレイ要請に応答して前記アルバム情報格納部から少なくとも一つの前記一連番号を選択して主範囲を設定する段階と、ユーザから入力される更新要請に応答して前記アルバム情報格納部から前記主範囲の一連番号と隣接する少なくとも一つの一連番号を選択して前記主範囲を更新する段階と、前記プロモーション情報格納部から少なくとも一つの前記識別子を選択する段階と、前記アルバム情報格納部及び前記プロモーション情報格納部から、前記主範囲内の一連番号に対応する一般アルバム情報及び前記選択された識別子に対応するプロモーション情報を抽出する段階と、前記抽出された一般アルバム情報及びプロモーション情報を前記一般画面管理情報に基づいて、一般画面ディスプレイ情報を生成する段階と、ユーザから入力される選択アルバムの詳細ディスプレイ要請に応答して前記アルバム情報格納部から前記選択アルバムの詳細アルバム情報を抽出する段階と、抽出された詳細アルバム情報及び前記詳細画面管理情報に基づいて、詳細画面ディスプレイ情報を生成する段階と、ユーザから入力される購買要請を処理する段階とを備えるオンライン音盤ショップの運営方法を提供する。
【発明の効果】
【００１１】
前述したように本発明によれば、サイト訪問者にアルバムの露出機会を増加させ得るだけでなく、アルバム関連の情報をより詳細に提供してサイト訪問者の音盤購買欲求を増加させ得る。
【発明を実施するための最良の形態】
【００１２】
図１に示されているように、本発明の実施例によるオンライン音盤ショップの運営システム１００は、データベース部１１０及びプロセッサ１２０を備える。
【００１３】
データベース部１１０は、各アルバムの情報を提供するアルバムＤＢ １１１、プロモーション情報を提供するプロモーションＤＢ １１２、アルバムディスプレイ領域及びプロモーションディスプレイ領域などの画面管理情報を提供する管理ＤＢ １１３及び会員ＤＢ １１４を備える。
【００１４】
アルバムＤＢ １１１には、アルバムの一連番号に対応してアルバム識別子（ｉｄｅｎｔｉｆｉｃａｔｉｏｎ，ＩＤ）及びアルバム情報が格納される。各アルバムは、歌謡、最新歌謡、ポップ、ジャズ、クラシック、民謡、童謡などの多様な分野に分類されることができる。オンライン音盤ショップの管理者の指定によって、各分野には一連符号が割り当てられる。例えば、図２に示されているように、ＰＯＰ、クラシック、ジャズ、最新音楽の分野にアルファベットＡ、Ｂ、Ｃ、Ｄがそれぞれ割り当てられ得る。各アルバムは、固有のアルバムＩＤを有する。同一分野に属するアルバムＩＤには、アーティスト（歌手）のスペリングの順に従って連続的な一連番号が割り当てられる。この一連番号は、各アルバムに少なくとも一つ割り当てられ得る。例えば、図２の‘Ａ’に示されているように、ＰＯＰの分野に属しながら同時に最新音楽の分野にも属するアルバム（ＩＤ＃１３７２４）は、二つの一連番号Ａ０００２、Ｄ００８１を有することができる。一連番号は、新たなアルバムの追加または分野の順序変更などによって各分野別に一部または全部が変更され得る。一連番号に対応して一般アルバム情報及び詳細アルバム情報が格納される。一般アルバム情報は、アーティスト名及びアルバムの正面イメージを含み、詳細アルバム情報は、アルバムの題目、アルバムの正面及び後面イメージ、収録曲の目録、歌詞、発売日、配給社、価格、在庫量、販売量、注文量、ウォールペーパー（ｗａｌｌ  ｐａｐｅｒ）、ポスター、収録された曲が用いられた広告、ミュージックビデオ、主要購買層などに関する情報を含む。
【００１５】
プロモーションＤＢ １１２は、プロモーションディスプレイ領域にディスプレイされる各種のプロモーション情報を提供する。各種のプロモーション情報は、アルバム割引販売、特別販売条件、公演情報、ファンサイン会などを含む。図３に示されているように、各プロモーションには、プロモーション識別子が付与され、プロモーション識別子に対応してプロモーション情報が格納される。プロモーション情報は、一般プロモーション情報及び詳細プロモーション情報を含む。一般プロモーション情報は、広告文案などのようなプロモーションの要約情報を含み、詳細プロモーション情報は、プロモーションの内容、日時、照会数、応募現況、ディスプレイ期間などを含む。場合によって、各プロモーションにも一連番号を割り当てて管理することもできる。
【００１６】
管理ＤＢ １１３は、画面管理情報を提供する。画面管理情報は、一般画面管理情報及び詳細画面管理情報を含む。一般画面管理情報は、ディスプレイウィンドー上に配置されるアルバムディスプレイ領域及びプロモーションディスプレイ領域の位置情報、各領域内にディスプレイされる最大のボタン数、各領域内のボタン位置、各ボタンのサイズ及び自動スクロールの速度に関する情報を含む。詳細画面管理情報は、選択アルバムのディスプレイ領域及び選択プロモーションのディスプレイ領域の位置情報、各領域内にディスプレイされる最大のボタン数、各領域内のボタン位置、各ボタンのサイズに関する情報を含む。管理ＤＢ １１３は、ピクセル単位で連続ディスプレイを具現するための連続画面管理情報をさらに含む。
【００１７】
会員ＤＢ １１４は、会員ＩＤ及び会員情報を提供する。会員情報は、住所、電話番号、電子メールアドレスなどの個人情報、サイト接続履歴、サイト情報利用履歴、購買履歴、積立金などを含む。サイト情報利用履歴は、会員が入力した検索語、選択または購買したアルバム及び曲名、購買希望情報などを含む。
【００１８】
プロセッサ１２０は、ディスプレイ対象選択部１２１、連続ディスプレイ部１２２、選択アルバムのディスプレイ部１２３及び購買要請処理部１２４を備える。前記プロセッサ１２０は、選択プロモーションのディスプレイ部（図示せず）をさらに備えることもある。この場合、前記管理ＤＢ １１３に格納された詳細画面管理情報は、詳細アルバム画面管理情報と詳細プロモーション画面管理情報を含む。
【００１９】
ディスプレイ対象選択部１２１は、ユーザシステム２００から入力されるディスプレイ要請及び更新要請に応答してディスプレイ対象を選択及び更新する。
【００２０】
ディスプレイ要請は、サイト接続者または会員（以下、通称ユーザという）のサイト接続開始、会員ログイン及び検索単語入力を含む。前記更新要請は、ユーザーインターフェース部からの方向情報の入力及び所定時間の経過を含む。方向情報は、マウス、トラックボール、キーボードなどのようなユーザーインターフェースを通じて入力されるカーソルの移動及び速度の変化情報を含む。
【００２１】
ディスプレイ要請または更新要請が発生すれば、ディスプレイ対象選択部１２１は、アルバムＤＢ １１１からディスプレイされるアルバム範囲を選択し、プロモーションＤＢ １１２から少なくとも一個のプロモーションＩＤを選択する。即ち、ディスプレイ対象選択部１２１は、ユーザから入力されるディスプレイ要請に応答して前記アルバムＤＢ １１１から少なくとも一つの一連番号を選択して主範囲を設定し、前記プロモーションＤＢ １１２から少なくとも一つの前記プロモーションＩＤを選択する。ディスプレイ対象選択部１２１は、ユーザから入力される更新要請に応答して前記アルバムＤＢ １１１から前記主範囲の一連番号と隣接する少なくとも一つの一連番号を選択して前記主範囲を更新し、前記プロモーションＤＢ １１２から少なくとも一つの前記プロモーションＩＤを選択する。一方、前記ディスプレイ対象選択部１２１は、ユーザシステム２００から入力される方向情報に含まれたカーソルの速度の変化程度を考慮してアルバム範囲のサイズを設定することができる。
【００２２】
連続ディスプレイ部１２２は、ディスプレイ対象選択部１２１からディスプレイ要請または更新要請、選択された一連番号及びプロモーションＩＤが入力され、アルバムＤＢ １１１及びプロモーションＤＢ １１２から各アルバムＩＤに対応するアルバム情報及びプロモーション情報を抽出し、抽出されたアルバム情報及びプロモーション情報と管理ＤＢ １１３に格納された画面管理情報に基づいて、画面ディスプレイ情報を生成し、これをユーザシステム２００に伝達する。一方、更新要請が発生した場合、連続ディスプレイ部１２２は、管理ＤＢ １１３で格納された連続画面管理情報に基づいて、更新された主範囲及びプロモーションＩＤをピクセル単位で連続ディスプレイする画面ディスプレイ情報を生成し、これをユーザシステム２００に伝達する。
【００２３】
選択アルバムのディスプレイ部１２３は、ユーザが選択したアルバムの詳細アルバム情報をアルバムＤＢ１１１から抽出し、抽出された詳細アルバム情報と管理ＤＢ １１３で格納された詳細画面管理情報に基づいて、選択アルバムの詳細画面ディスプレイ情報を生成する。特定アルバムの選択如何は、ユーザによる特定アルバムボタンのクリックの発生または特定アルバムボタン上に一定時間以上カーソルの停止により判断される。
【００２４】
購買要請処理部１２４は、ユーザの購買要請に従って決済要請情報、決済結果などをユーザシステム２００及び決済システム３００にそれぞれ提供し、購買情報をアルバムＤＢ １１１及び会員ＤＢ １１４に提供する。
【００２５】
説明の便宜のために、ディスプレイ対象選択部１２１、連続ディスプレイ部１２２、選択アルバムのディスプレイ部１２３及び購買要請処理部１２４を独立した構成要素として説明したが、これらは少なくとも一つのプロセッサにより具現され得る。
【００２６】
一方、図１には示されていないが、前記プロセッサ１２０は、会員認証部、サイト接続統計処理部など、オンライン上のオーディオ／ビデオ媒体ショッピングモールの運営に必須の機能部をさらに備える。
【００２７】
以下、図４ａ〜図１３を参照して本発明の実施例によるオンライン音盤ショップの運営方法を説明する。図４ａから図４ｃは本発明の実施例によるオンライン音盤ショップの画面ディスプレイプロセスを示す順序図である。
【００２８】
ディスプレイ対象選択部１２１の動作は、ディスプレイ要請に基づいて始まる。
【００２９】
ユーザのサイト接続開始、サイト開始画面のディスプレイの終了などのディスプレイ対象の選択要請が発生すれば、ディスプレイ対象選択部１２１は会員のログイン如何を判断する（段階Ｓ１１０）。
【００３０】
会員のログインがない場合、ディスプレイ対象選択部１２１は、管理ＤＢ １１３から提供される各ディスプレイ領域の最大のボタン数に関する情報に基づいて、アルバム範囲及びプロモーションＩＤ数を設定する（段階Ｓ１２０）。
【００３１】
基本アルバム範囲は、主範囲、上方範囲及び下方範囲を含む。主範囲内に属するアルバムの数は、管理ＤＢ １１３から提供されるアルバムディスプレイ領域の最大のボタン数より多くないようにする。例えば、管理ＤＢ １１３から提供されるアルバムディスプレイ領域及びプロモーションディスプレイ領域の最大のボタン数がそれぞれ２５ 及び４である場合、ディスプレイ対象選択部１２１は、図２に示されているアルバムＤＢ １１１から連続的な２５個の一連番号、例えばＡ８１５６〜Ｂ０００５を選択して主範囲Ｒ１を設定し、図３に示されているプロモーションＤＢ １１２から４個のプロモーションＩＤ、例えばＰＩ１２２４、ＰＩ３９２８、ＰＩ７５７５及びＰＩ４１２８を選択する。
【００３２】
また、ディスプレイ対象選択部１２１は、主範囲の最先及び最後の一連番号を基準にそれぞれ下方範囲及び上方範囲を設定する。例えば、図２に示されているように、主範囲Ｒ１内の最先の一連番号Ａ８１５６に先行する５つの一連番号、例えばＡ８１５５〜Ａ８１５１（図示せず）からなる上方範囲Ｒ１１を設定し、最後の一連番号Ｂ０００５に後行する５つの一連番号、例えばＢ０００６〜Ｂ００１０を選択して下方範囲Ｒ１２を設定することができる。一方、下方範囲の設定過程中で現在分野の最後の一連番号が選択され、下方範囲が全て満たされていない場合には、現在の分野を除いた残りの分野をランダムに選択して下方範囲を設定する。例えば、 ＰＯＰ分野のＡ８１７３を始めとして、５つのアルバムを選択して下方範囲を設定する場合、Ａ８１７３、Ａ８１７４、Ａ８１７５（ＰＯＰ分野の最後の一連番号）を選択し、ＰＯＰ分野を除いた他の分野、例えばジャズ分野の最先の一連番号から２つの一連番号、Ｃ０００１、Ｃ０００２を選択して下方範囲を設定することができる。同様に、上方範囲の設定過程中で現在分野の最先の一連番号が選択され、上方範囲が全て満たされていない場合には、現在の分野を除いた残りの分野をランダムに選択して上方範囲を設定する。例えば、クラシック分野のＢ０００２を始めとして、５つのアルバムを選択して上方範囲を設定する場合、Ｂ０００２、Ｂ０００１を選択し、クラシック分野を除いた他の分野、例えば 最新音楽分野の最後の一連番号から３つのアルバム、Ｄ００８２、Ｄ００８１及びＤ００８０を選択して上方範囲を設定することができる。このような下方範囲及び上方範囲の設定は、アルバムを連続的にディスプレイするためのプリ−ローディングに該当する。本発明の他の実施例によって、前記ディスプレイ対象選択部１２１は、下方範囲及び上方範囲の格納のためのプリ−ローディング部を別途に備えることができる。前述した上方及び下方範囲は主範囲と同一であるか、主範囲より大きく設定されることもある。
【００３３】
併せて、段階Ｓ１２０で、図３に示されているプロモーションＤＢ １１２からも類似する方法でプロモーションＩＤを選択する。
【００３４】
反面、段階Ｓ１１０で、開始情報として会員のログイン情報が入力された場合、ディスプレイ対象選択部１２１は会員情報ＤＢ １１４からサイト情報の利用履歴を含む会員情報を抽出し（段階Ｓ２１０）、会員情報に基づいたアルバム範囲及びプロモーションＩＤの選択を要請する（段階Ｓ２２０）。以後、前述したように段階Ｓ１２０へ進む。
【００３５】
段階Ｓ１２０に次いで、連続ディスプレイ部１２２はディスプレイ対象選択部１２１からアルバム範囲及びプロモーションＩＤの情報が入力され、アルバムＤＢ １１１から選択された一連番号、即ちＡ８１５６〜Ｂ０００５に対応する一般アルバム情報を抽出し、プロモーションＤＢ １１２からプロモーションＩＤ ＰＩ１２２４、ＰＩ３９２８、ＰＩ７５７５、ＰＩ４１２８に対応するプロモーション情報を抽出する（段階Ｓ１３０）。この時、管理ＤＢ １１３から一般画面管理情報を抽出することもできる。併せて、主範囲のアルバム情報の抽出と同時にまたは抽出後に、上向範囲及び下方範囲に属するアルバムの情報も予め抽出する動的ローディングを実施することもできる。特定のカテゴリーに含まれるアルバムの数は数百から数千に至るので、全てのアルバム情報を読み出した後にアルバムディスプレイ領域にアルバムをディスプレイすると、初期のローディング時間が数分から数十分に至ることがある。従って、前述したような動的ローディングを実施すれば、ローディング時間を減少させることができる。
【００３６】
連続ディスプレイ部１２２は、抽出された主範囲の一般アルバム情報及びプロモーション情報と管理ＤＢ １１３に格納された一般画面管理情報に基づいて、 複数アルバムの画面ディスプレイ情報を生成し、これをユーザシステム２００に伝達する（段階Ｓ１４０）。前記一般アルバム情報は、アルバムの正面イメージ及びアーティスト名を含む。
【００３７】
図５に示されているように、伝達された画面ディスプレイ情報に従って、ユーザシステム２００には、アルバムディスプレイ領域５０に行列に配置された各アルバムボタン領域５１に一連番号の順にアルバムの正面イメージがディスプレイされ、プロモーションディスプレイ領域７０に各プロモーションアルバムボタン領域７１にプロモーションがディスプレイされる。一方、アルバムディスプレイ領域の各分野に対応させて分野名６１をディスプレイし、アルバムボタン５１に隣接してアーティスト名５２をディスプレイする。この時、同一のアーティスト名５２の反復的なディスプレイは省略することができる。
【００３８】
また、アルバムディスプレイ領域５０と分離された分野のディスプレイ領域６０を備え、分野名６１をディスプレイすることもできる。特に、図５に示されているように、二つの分野が同時にディスプレイされる時、即ちＰＯＰ分野及びジャズ分野のアルバムが共にアルバムディスプレイ領域５０にディスプレイされる時、アルバムディスプレイ領域５０はＰＯＰ分野に該当する第１領域５０＿Ａとジャズ分野に該当する第２領域５０＿Ｂに分けられ、各領域に対応して分野名６１をディスプレイする。また、アルバムディスプレイ領域５０と共に検索窓８０をディスプレイすることもできる。
【００３９】
一方、アルバムがディスプレイされる時、各分野で最小一連番号を有するアルバムの正面イメージは、最上行にディスプレイされることが望ましい。例えば、段階Ｓ１１０で、図５に示されているように、選択された任意の一連番号の範囲がＡ８１５７からＢ０００６に至る主範囲Ｒ２として選択された場合、図６に示されているように、ＰＯＰ分野の領域５０＿Ａに空間Ｃがあっても、ジャズ分野の最小一連番号Ｂ０００１に該当するアルバムを最上行にディスプレイする。これにより、連続ディスプレイ部１２２は、主範囲Ｒ２に属するアルバム数が２５個であっても、２４個のアルバムのみディスプレイするために選択された範囲内の最終一連番号Ｂ０００６をディスプレイしないように画面ディスプレイ情報を生成することもある。
【００４０】
段階Ｓ１４０以後、ディスプレイ対象選択部１２１は、ユーザシステム２００から特定アルバムボタンのクリックまたは特定アルバムボタン上に一定時間以上カーソルが止まったかを基準に特定アルバムボタンの選択イベントの発生如何を判断する（段階Ｓ１５０）。
【００４１】
特定アルバムボタンの選択イベントが発生すれば、選択アルバムのディスプレイ部１２３は、アルバムＤＢ １１１から選択されたアルバムの詳細アルバム情報を抽出する（段階Ｓ１５１）。
【００４２】
次いで、抽出された詳細アルバムの情報及び管理ＤＢ １１３に格納された詳細画面管理情報に基づいて、選択アルバムの詳細画面ディスプレイ情報を生成し、これをユーザシステム２００に伝達する（段階Ｓ１５２）。
【００４３】
特定アルバムの選択によって、ユーザシステム２００のディスプレイ装置には、図７に示されているような形態で選択アルバムページ９０がディスプレイされる。即ち、イメージディスプレイ領域９１、ディスプレイ種類の選択ボタン９２、メディアプレーヤボタン９３、メニュー選択ボタン９４及び購買関連のボタン９５を備える選択アルバムのページ９０をユーザシステム２００にディスプレイする。ディスプレイ種類の選択ボタン９２は、アルバムの正面イメージボタン９２ａ、後面イメージボタン９２ｂ、曲目録ボタン９２ｃ、ウォールペーパー／ポスターボタン９２ｄ、ミュージックビデオボタン９２ｅ、挿入広告ボタン９２ｆなどを含み、選択されたボタンの種類に応じてイメージディスプレイ領域９１にディスプレイされる内容が決定される。初期に即ち、ユーザが選択アルバムページ９０上のボタンを選択するまで、イメージディスプレイ領域９１には、最初にアルバムの正面イメージがディスプレイされるように画面ディスプレイの情報を設定することが望ましい。一方、提供されないサービスのボタンは活性化され得ない。例えば、選択アルバムと関連した広告がない場合、挿入広告ボタン９２ｆは活性化されない状態で表現される。メディアプレーヤボタン９３は、ミュージックビデオまたは広告のディスプレイをユーザが制御するようにするためのものであって、多様な形態で例えば、‘再生’、‘停止’、‘一時停止’、‘早送り’、‘巻戻し’ボタンを提供するように具現され得る。メニュー選択ボタン９４は、複数アルバムディスプレイボタン９４ａ、以後または以前のアルバムボタン９４ｂ及び現在のディスプレイ領域などを格納するための格納ボタン９４ｃを備える。購買関連のボタン９５は 在庫数量ボタン９５ａ、購買目録に追加ボタン９５ｂ及び決済ボタン９５ｃを含む。一方、選択アルバムページ９０が別途のウィンドー内にディスプレイされることもあり、複数アルバムページのウィンドーと重なってディスプレイされることもある。
【００４４】
選択アルバムのディスプレイ部１２３は、ディスプレイ種類の選択ボタン９２、メディアプレーヤボタン９３、メニュー選択ボタン９４及び 購買関連のボタンのいずれか一つに対するユーザの選択があったかどうかを判断する（段階Ｓ１５３）。
【００４５】
次いで、選択されたボタンが複数アルバムディスプレイボタン９４ａであるかを判断し（段階Ｓ１５３ａ）、複数アルバムディスプレイボタン９４ａが選択された場合、選択アルバムのディスプレイ部１２３はディスプレイ対象選択部１２１に以前アルバムの範囲選択を要請する（段階Ｓ１５３ａ＿１１）。以後、段階Ｓ１２０へ進む。
【００４６】
複数アルバムディスプレイボタン９４ａが選択されていない場合、選択アルバムのディスプレイ部１２３は選択されたボタンが決済ボタン９５ｃであるかどうかを判断し（段階Ｓ１５３ａ＿１０）、決済ボタン９５ｃが選択された場合、購買要請処理部１２４に購買要請イベントの発生を知らせる。以後、購買要請処理へ進む（段階Ｓ１５３ａ＿１４）。購買要請処理は、購買要請処理部１２４、決済システム３００、ユーザシステム２００などが相互連動してなされるものであって、通常の電子商取引で用いられる多様な認証及び決済方法などに準じて進むことができる。
【００４７】
一方、段階Ｓ１５３ａ＿１０で、決済ボタン９５ｃが選択されていないものと判断されれば、選択アルバムのディスプレイ部１２３は、選択されたボタン関連情報をアルバムＤＢ １１１から抽出し（段階Ｓ１５３ａ＿１２）、ボタン関連の画面ディスプレイ情報を生成し、これをユーザシステム２００に伝達する（段階Ｓ１５３ａ＿１３）。これにより、イメージディスプレイ領域９１に選択されたボタンと関連した情報がディスプレイされる。例えば、段階Ｓ１５３で、ユーザがミュージックビデオボタン９２ｅを選択した場合、選択アルバムのディスプレイ部１２３は、アルバムＤＢ １１１から選択アルバムのミュージックビデオ情報を抽出し、ミュージックビデオ関連の画面ディスプレイ情報を生成してユーザシステム２００に伝達し、イメージディスプレイ領域９１にミュージックビデオがディスプレイされるようにする。
【００４８】
一方、段階Ｓ１５３で、特定のボタンが選択されていないものと判断されれば、所定時間の経過如何を判断する（段階Ｓ１５３ｂ）。所定時間は段階Ｓ１５２の完了、即ち選択アルバムの詳細画面ディスプレイ情報の伝達が完了した瞬間を時点に起算する。所定時間が経過したら、顧客が接続中であるかどうかを判断する（段階Ｓ１９０）。顧客が接続中であるものと判断されれば、選択アルバムのディスプレイ部１２３はディスプレイ対象選択部１２１に上方または下方範囲を基準にアルバム範囲を修正し、プロモーションＩＤをランダム修正することを要請する（段階Ｓ１９１）。以後、段階Ｓ１２０へ進む。もし、段階Ｓ１９０で、顧客が接続中でないものと判断されれば、終了する。
【００４９】
段階Ｓ１５０で、特定のアルバムが選択されていないものと判断されれば、ディスプレイ対象選択部１２１は他のディスプレイ要請即ち、システム２００から検索単語の入力があったかどうかを判断する（段階Ｓ１６０）。
【００５０】
段階Ｓ１６０で、検索単語が入力されたものと判断されれば、連続ディスプレイ部１２２はディスプレイ対象選択部１２１に検索単語を基準にアルバム範囲の設定及びランダム方式でプロモーションＩＤの設定を要請する（段階Ｓ１６１）。以後、段階Ｓ１２０へ進む。段階Ｓ１２０で、アルバム範囲を設定するために、ディスプレイ対象選択部１２１はアルバムＤＢ １１１から検索単語と類似する単語を含むアルバム情報を検索し、そのアルバム情報の該当一連番号を選択し、類似程度の順に一連番号を整列し、主範囲、上方範囲及び下方範囲を設定する。例えば、検索単語と類似する１５個の一連番号を選択する。この時、一連番号と共に類似程度によって優先番号を共に割り当てて、優先番号の順に主範囲のアルバムを９個選定して主範囲を設定した後、主範囲内に属していないアルバムの中で類似程度が高い順にそれぞれ３個のアルバムを上方範囲及び下方範囲に設定することができる。段階Ｓ１２０に次いで、ディスプレイ対象選択部１２１からアルバム範囲及びプロモーションＩＤと共に優先順位の情報が入力された連続ディスプレイ部１２２はアルバムＤＢ １１１から主範囲の各一連番号に対応するアルバム情報を抽出し、プロモーションＤＢ １１２からプロモーションＩＤに対応するプロモーション情報を抽出する（段階Ｓ１３０）。この時、管理ＤＢ １１３から一般画面管理情報を抽出することもできる。以後、段階Ｓ１４０によって画面ディスプレイ情報を生成して伝達する。この時、連続ディスプレイ部１２２は入力された優先順位の情報と管理ＤＢ １１３から提供されるボタンの位置及びサイズに関する情報に基づいて、複数アルバムの画面ディスプレイ情報を生成することができる。即ち、図８に示されているように、類似度（ＫＹ１〜ＫＹ９）によってボタンの位置及びサイズを考慮してアルバムをディスプレイすることができる。
【００５１】
段階Ｓ１６０で、ユーザシステム２００から検索単語が入力されていないものと判断されれば、ディスプレイ対象選択部１２１はディスプレイ更新要請即ち、ユーザシステム２００で方向関連のイベントが発生したかどうかを判断する（段階Ｓ１７０）。前記方向関連イベントの発生は方向情報の入力で判断され得る。
【００５２】
段階Ｓ１７０で、方向関連イのベントが発生したものと判断されれば、連続ディスプレイ部１２２はユーザシステム２００が入力された方向情報を基準にディスプレイ対象を修正することをディスプレイ対象選択部１２１に要請する（段階Ｓ１７１）。図９ｂ 及び図１０ｂは、それぞれ図９ａ及び図１０ａにおける矢印で示される方向関連イベントの発生後、図６及び図８の複数アルバムページが修正された結果を示す。
【００５３】
段階Ｓ１７１の以後の段階Ｓ１２０に戻れば、ディスプレイ対象選択部１２１は、ユーザシステム２００から入力された方向情報に基づいて、以前の段階Ｓ１２０の遂行時にの予め設定された上方範囲または下方範囲のうち、一つを選択し、選択された上方範囲または下方範囲を基準に主範囲を修正する。例えば、ユーザシステム２００から入力された方向が右側の場合、下方範囲を基準に主範囲を設定する。即ち、図２に示されているように、主範囲Ｒ１に一連番号Ａ８１５６〜Ｂ０００５が属し、下方範囲Ｒ１２が一連番号Ｂ０００６〜Ｂ００１０に設定された場合、下方範囲Ｒ１２内の最後の一連番号Ｂ００１０が主範囲の終わりになるように２５個の一連番号に、新たな主範囲Ｒ３を設定し、新たに設定された主範囲Ｒ３を基準に上方範囲Ｒ３１及び下方範囲Ｒ３２を全て新たに選択する。以後、段階Ｓ１３０の過程へ進む。
【００５４】
一方、段階Ｓ１７０で、ユーザシステム２００から方向関連のイベントが入力されていないものと判断されれば、他の更新要請として所定時間の経過如何を判断する（段階Ｓ１８０）。この時、所定時間は前記連続ディスプレイ部１２２で最近の画面ディスプレイ情報を生成し、これをユーザシステム２００に伝達した時点から起算する。
【００５５】
段階Ｓ１８０で、所定時間が経過しないものと判断されれば、段階Ｓ１５０に戻り、他の更新要請として所定時間が経過したものと判断されれば、ユーザの接続維持如何を判断する（段階Ｓ１９０）。
【００５６】
段階Ｓ１９０で、ユーザが接続を維持している状態と判断されれば、上方または下方範囲に基づいたアルバム範囲の修正及びプロモーションＩＤをランダム修正することを要請し（段階Ｓ１９１）、段階Ｓ１２０に戻る。ディスプレイ対象選択部１２１は、前記段階Ｓ１２０で予め設定された上方範囲または下方範囲のうち、いずれか一つをランダムに選択し、主範囲、上方範囲及び下方範囲をそれぞれ修正する。例えば、図２に示されているように、主範囲Ｒ２に一連番号Ａ８１５７〜Ｂ０００６が属し、上方範囲Ｒ２１が一連番号Ａ８１５２〜Ａ８１５６に、下方範囲Ｒ２２が一連番号Ｂ０００７〜 Ｂ００１１に設定された場合、ランダム選択によって上方範囲Ｒ２１が選択されれば上方範囲Ｒ２１内の最先の一連番号Ａ８１５２から始まる２５個の一連番号により、新たな主範囲Ｒ４を選択し、新たに選択された主範囲によって上方範囲Ｒ４１及び下方範囲Ｒ４２を全て新たに選択する。同様に、ランダム選択によって下方範囲Ｒ２２が選択される場合は、下方範囲内の最後の一連番号まで２５個のアルバムからなる主範囲Ｒ５（図示せず）を選択するようになる。以後、段階Ｓ１３０の過程へ進む。
【００５７】
段階Ｓ１９０でユーザが接続を維持していない状態と判断されれば、終了する。
【００５８】
一方、前述した実施例において、段階Ｓ１５０で、特定アルバムの選択如何を判断することを例として説明したが、特定のアルバムに代わって特定プロモーションの選択如何を判断することができる。このために、本発明によるオンライン音盤ショップの運営システムは、選択プロモーションのディスプレイ部をさらに備えることができる。特定のプロモーションボタンの選択イベントが発生すれば、選択プロモーションのディスプレイ部はプロモーションＤＢ １１２及び管理ＤＢ １１３からそれぞれ選択されたプロモーションの情報及び詳細画面管理情報を抽出し、選択プロモーションの画面ディスプレイ情報を生成して伝達することができる。以後、段階Ｓ１５２以後の過程が同様に適用され得る。
【００５９】
また、本実施例では、ディスプレイ要請により複数のアルバムページが画面上にディスプレイされるが、図１１に示しているように、多様なアルバム分野の陳列台で構成される実際の音盤ショップの内部の様子を示すショップの内部ページを提供し、そのショップの内部ページ上から所望の分野の陳列台を直接選択することによって、所望の分野のマルチアルバムページをディスプレイすることができる。 
【００６０】
図１２ａ〜図１２ｄは、本発明の実施例によってオンライン音盤ショップに連続的にディスプレイされるアルバムボタン及びプロモーション情報を示している。ユーザシステムから入力される方向情報に基づいて、図１２ａから図１２ｄの順にそれぞれ異なるアルバムボタン及びプロモーションボタンが連続的にディスプレイされ得る。実際のショップでのような雰囲気を表現することができるように、オンライン音盤ショップの画面ディスプレイを具現することがより望ましい。例えば、プロモーションボタンディスプレイ領域は柱で表現され得る。前記柱は、アルバムディスプレイ領域上に位置することができる。また、柱と柱間の空間もプロモーションディスプレイ領域に活用できる。また、アルバムボタンのディスプレイ領域の上段にモニタ形状のパネルを設けることができる。前記モニタ形状のパネルには、ミュージックビデオ、プロモーションなどの多様な情報がディスプレイされ得る。
【００６１】
一方、段階Ｓ１５０で、特定アルバムボタンの選択イベントが発生したと判断された時、図１３のような形態でメニュー窓Ｗ１及び選択アルバムの拡大窓Ｗ２と共に選択アルバム情報を示すポップアップ窓Ｗ３をディスプレイすることもできる。
【００６２】
以上、本発明の好適な実施の形態について説明し、例示したが、本発明の特許請求の範囲の思想及び範疇を逸脱することなく、当業者は種々の改変をなし得ることが分かるであろう。  
【図面の簡単な説明】
【００６３】
【図１】本発明の実施例によるオンライン音盤ショップの運営システムの構成を示す概略図である。
【図２】本発明の実施例によるアルバムＤＢの構成を示す説明図である。
【図３】本発明の実施例によるプロモーションＤＢの構成を示す説明図である。
【図４】（ａ）〜（ｃ）は、本発明の実施例によるオンライン音盤ショップの画面ディスプレイプロセスを示す順序図である。
【図５】本発明の一実施例による画面ディスプレイプロセスにおいて画面構成の一例を示す図である。
【図６】本発明の一実施例による画面ディスプレイプロセスにおいて画面構成の他の例を示す図である。
【図７】本発明の一実施例による画面ディスプレイプロセスにおいて特定アルバムの選択される時に画面構成の一例を示す図である。
【図８】本発明の一実施例による画面ディスプレイプロセスにおいてユーザシステムから検索単語が入力される時に画面構成の一例を示す図である。
【図９】（ａ）及び（ｂ）は、本発明の一実施例による画面ディスプレイプロセスにおいて方向関連のイベントが発生する時に画面構成を示す図である。
【図１０】（ａ）及び（ｂ）は、本発明の一実施例による画面ディスプレイプロセスにおいて方向関連のイベントが発生する時に画面構成を示す図である。
【図１１】本発明の変形例を示す図である。
【図１２】（ａ）〜（ｄ）は、本発明の一実施例によるオンライン音盤ショップの連続的な音盤ディスプレイを示す図である。
【図１３】特定アルバムのポップアップ窓を示す例示図である。
【符号の説明】
【００６４】
１００  オンライン音盤ショップの運営システム
１１０  データベース部
１１１  アルバムＤＢ
１１２  プロモーションＤＢ  
１１３  管理ＤＢ
１１４  会員ＤＢ  
１２０  プロセッサ
１２１  ディスプレイ対象選択部
１２２  連続ディスプレイ部
１２３  選択アルバムのディスプレイ部
１２４  購買要請処理部
２００  ユーザシステム
３００  決済システム
【図４】
2007004805.tif 000003
【図１】
2007004805.tif 000004
【図２】
2007004805.tif 000005
【図３】
2007004805.tif 000006
【図５】
2007004805.tif 000007
【図６】
2007004805.tif 000008
【図７】
2007004805.tif 000009
【図８】
2007004805.tif 000010
【図９】
2007004805.tif 000011
【図１０】
2007004805.tif 000012
【図１１】
2007004805.tif 000013
【図１２】
2007004805.tif 000014
【図１３】
2007004805.tif 000015